(57)【要約】【課題】前方レンズ群の光軸方向へのコンパクト化と共に、自己撮影機能の付加によるカメラ外寸の大型化の抑制が図られたカメラを提供する。【解決手段】反射部材を、写真撮影時には前方レンズ群を通過してきた被写体光を後方レンズ群に導く位置と、自己撮影時には前方レンズ群を通過してきた被写体光を被写体側に戻す位置との間で切り替えて配置させる切替機構を備えた。【選択図】　　　　　図３
2004004327.tif 000002
【特許請求の範囲】
【請求項１】
被写体からの被写体光を所定の結像面に結像して撮影を行うカメラにおいて、
被写体側に向いた前方レンズ群と、該前方レンズ群を通過した被写体光を反射する反射部材と、前記反射部材で反射した被写体光を結像面に結像させる後方レンズ群とを有する撮影光学系、および
前記反射部材の位置を、前記前方レンズ群を通過した被写体光を反射して前記後方レンズ群に導く撮影位置と、前記前方レンズ群を通過した被写体光を該前方レンズ群に向けて反射させて該前方レンズ群を再び通過した被写体光を被写体側に戻す画角確認位置との間で切り替える切替機構を備えたことを特徴とするカメラ。
【請求項２】
前記前方レンズ群と協働してファインダ光学系を構成する接眼レンズ群を備え、
前記切替機構は、前記反射部材の位置を、前記撮影位置と、前記画角確認位置とに加え、前記前方レンズ群を通過した被写体光が前記接眼レンズ群に導かれるように退避した第２の画角確認位置との３つの位置の間で切り替えるものであることを特徴とする請求項１記載のカメラ。
【発明の詳細な説明】
【０００１】
【発明の属する技術分野】
本発明は、被写体からの被写体光を所定の結像面に結像して撮影を行なうカメラに関する。
【０００２】
【従来の技術】
近年、レンズ鏡胴を繰り出しあるいは沈胴させることで、ズーミングおよびフォーカシングを行ない、不使用時の光軸方向のコンパクト性の向上が図られたカメラが普及している。
【０００３】
さらに、特表２０００−５１５２５５号公報には、カメラ本体内に反射ミラーを備え、カメラの前面に備えられた前面レンズを含む前方レンズ群を透してカメラ本体内に導かれた被写体光を、この反射ミラーによって前方レンズ群の光軸方向と交わる方向に反射させて固体撮像素子上に導き写真撮影を行う、使用不使用にかかわらず光軸方向のコンパクト化が図られた、ズーミングおよびフォーカシング機能付カメラが提案されている。
【０００４】
ところで、最近の携帯機器にはコンパクト化と共に益々の高機能化が求められており、このことは、カメラに対しても同様である。
【０００５】
カメラに付加する機能の１つとして自己撮影機能が考えられるが、この自己撮影機能の付加は、カメラ本体の上面などに凸面鏡などを立設したり、カメラ本体の前面側に視認窓、および、その視認窓の奥側にＬＥＤなどの指標を備えることによって行なわれている。
【０００６】
【発明が解決しようとする課題】
したがって、特表２０００−５１５２５５号公報に提案されているカメラに自己撮影の機能を付加すると、光軸方向のコンパクト化は図られているものの、自己撮影機能の付加の分だけカメラ外寸が大型化するという問題が起こるおそれがある。
【０００７】
本発明は、上記事情に鑑み、前方レンズ群の光軸方向へのコンパクト化と共に、自己撮影機能の付加によるカメラ外寸の大型化の抑制が図られたカメラを提供することを目的とする。
【０００８】
【課題を解決するための手段】
上記目的を達成するための本発明のカメラは、
被写体からの被写体光を所定の結像面に結像して撮影を行うカメラにおいて、
被写体側に向いた共用レンズ群と、この共用レンズ群を通過した被写体光を反射する反射部材と、この上記反射部材で反射した被写体光を結像面に結像させる後方レンズ群とを有する撮影光学系、および
上記反射部材の位置を、上記共用レンズ群を通過した被写体光を反射して上記後方レンズ群に導く撮影位置と、上記共用レンズ群を通過した被写体光をこの共用レンズ群に向けて反射させてこの共用レンズ群を再び通過した被写体光を被写体側に戻す画角確認位置との間で切り替える切替機構を備えたことを特徴とする。
【０００９】
本発明のカメラでは、写真撮影時には反射部材が撮影位置に配置されることで被写体光は後方レンズ群に導かれ、自己撮影の撮影画角の確認時には反射部材が画角確認位置に配置されることで被写体光は被写体側に戻される。これにより、本発明のカメラでは、前方レンズ群と、前方レンズ群とは異なる方向の光軸を有する後方レンズ群とによって写真撮影が行われることで、前方レンズ群の光軸方向へのコンパクト化が図られていると共に、この反射部材を自己撮影の際に自己撮影者を映し出すものとして使用することができる。したがって、本発明のカメラによれば、前方レンズ群の光軸方向へのコンパクト化を図ることができると共に、カメラの外寸を大型化することなく自己撮影機能を付加することができる。
【００１０】
ここで、本発明のカメラが、上記共用レンズ群と協働してファインダ光学系を構成する接眼レンズ群を備え、
上記切替機構は、上記反射部材の位置を、上記撮影位置と、上記画角確認位置とに加え、上記共用レンズ群を通過した被写体光が上記接眼レンズ群に導かれるように退避した第２の画角確認位置との３つの位置の間で切り替えるものであることが好ましい。
【００１１】
このようにすると、低コストでファインダを備えることができる。
【００１２】
【発明の実施の形態】
以下、本発明のカメラの実施形態について説明する。
【００１３】
図１は、本実施形態の、斜め前方からの外観斜視図である。
【００１４】
図１に示される本実施形態のカメラ１は、ＣＣＤ固体撮像素子を内蔵するズーム機能付デジタルカメラであり、このカメラでは、フォーカシングおよびズーミングは、レンズ鏡胴の繰り出しあるいは繰り込みによっては行われず、カメラの下方向に配列されたレンズ群を構成するレンズのレンズ間隔を変化させて行われている。
【００１５】
このカメラ１の前面には、前面レンズ１１、前面レンズ１１の左斜め上のフラッシュ調光窓１２、およびフラッシュ調光窓１２の左隣のフラッシュ発光窓１３が備えられている。
【００１６】
このカメラ１の上面には、右端にレリーズボタン１４が備えられている。尚、撮影モードダイヤル２２については後述する。
【００１７】
このカメラ１の左側面の下方には、上から順に、写真撮影によって得られた画像データをパーソナルコンピュータなどに送信したりする際に使用されるＵｎｉｖｅｒｓａｌ　Ｓｅｒｉａｌ　Ｂｕｓ（ＵＳＢ）ケーブルが接続されるＵＳＢ端子１５および外部電源端子１６が示されている。
【００１８】
図２は、本実施形態のカメラの、斜め後方からの外観斜視図である。
【００１９】
図２に示されている本実施形態のカメラ１の背面には、画像を表示する液晶パネル１８、液晶パネルによる画像表示をオン／オフするための液晶パネル起動ボタン１９、図１に示す前面レンズ１１の光軸上に位置する光学ファインダの接眼窓２３ｂ、バリエーションの選択およびズームを行なう際に操作する十字キー２０、液晶パネル１８上にメニューを画像表示させたり、その確定に使用されるメニュー／ＯＫスイッチ２１、このカメラ１に備えられた機能である、‘撮影記録’機能および‘画像データ再生’機能のうちのいずれを選択するかを決定するために操作される機能選択レバー２５、機能選択レバーの軸上に設けられたメインスイッチ２４、および撮影モードダイヤル２２が備えられている。
【００２０】
この撮影モードダイヤル２２は、‘人物撮影’モード、‘風景撮影’モード、‘スポーツ’モード、‘自己撮影’モードのうちのいずれかを選択するために操作され、これらのモードは、‘撮影記録’機能を選択した場合にのみ有効となっている。機能選択レバー２５は、上側にもっていかれると‘撮影記録’機能が選択され、下側にもっていかれると‘画像データ再生’機能が選択されるようになっている。
【００２１】
図３は、本実施形態のカメラの左側面からの透視図である。
【００２２】
図３には、被写体側に向いた、前面レンズ１１を含む前方レンズ群１１１と、前方レンズ群１１１の光軸上に備えられ、この前方レンズ群１１１と共に光学ファイダを構成する接眼レンズ群１１４とが示されている。また、これら前方レンズ群１１１と接眼レンズ群１１４との間には、前方レンズ群１１１を通過してくる被写体光をカメラ下方に導く位置である撮影位置と、被写体光を上記接眼レンズ群に導くための退避した位置である撮影画角確認位置と、自己撮影の際の自己撮影画角確認位置との３つの位置の間で切り替えられる反射ミラー１１２も示されている。
【００２３】
また、図３には、上記反射ミラー１１２が上記撮影位置に配置されたことでカメラ下方に導かれた被写体光が通過する、ズーミングあるいはフォーカシングのために複数のレンズで構成された撮影レンズ群１１５、および、撮影レンズ群を通過した被写体光が結像されるＣＣＤ撮像素子１１６も示されている。
【００２４】
図４は、図３に示される反射ミラーの位置の切り替えを行う切替機構の、左後方からの外観斜視図である。
【００２５】
図４に示される切替機構２００は、反射ミラー１１２をホールドするホルダ２０４と、ホルダ２０４を回動自在に軸支するホルダ軸２０５と、モータ２０２と、モータの回転軸に取り付けられたリードスクリュ２０３と、リードスクリュと螺合する貫通孔２０１ａを有する移動体２０１とで構成されており、ホルダ軸２０５とモータは、カメラ本体に固定されている。尚、移動体２０１には、ホルダーの端部を挟み、向かい合う一対の板ばね２０６が付着されている。
【００２６】
図５は、図４に示される切替機構を左側から見た場合の図である。
【００２７】
図５（ａ）には、切替機構２００が反射ミラーを撮影画角確認位置に配置させている様子が示され、図５（ｂ）には、切替機構２００が反射ミラーを撮影位置に配置させている様子が示され、図５（ｃ）には、切替機構２００が反射ミラーを自己撮影画角確認位置に配置させている様子が示されている。
【００２８】
以下、図５を参照しながら切替機構２００の動作について説明する。
【００２９】
図５には、ホルダ２０４の端部２０４ａが、移動体２０１の側面に付着されている一対の板ばね２０６の間に挟みこまれている様子が示されている。尚、前述したように、モータ２０２およびホルダ軸２０５はカメラ本体に固定されている。
【００３０】
ここで、モータ２０２が正回転すると、モータ軸に取り付けられたリードスクリュ２０３も回転する。移動体２０１は、リードスクリュ２０３と螺合していると共に回転止めがなされているため、リードスクリュ２０３の回転により、カメラの上下方向に移動する。この移動体２０１は、モータ２０２の回転に伴い、所定の３つのポイントに移動させられ、ホルダ軸２０５はカメラ本体に固定されていることから、端部２０４ａが一対の板ばね２０６に挟まれているホルダ２０４は、撮影位置、撮影画角確認位置、あるいは自己撮影画角確認位置のいずれかに反射ミラー１１２を位置させることとなる。尚、移動体２０１のカメラ本体に対する絶対位置およびホルダ２０４の位置は、図示しない複数のフォトセンサによって監視されている。尚、図５（ａ）に示される位置が、切替機構２００の移動体２０１のホームポジションである。
【００３１】
ここで、本実施形態のカメラ１の撮影動作を説明しながら切替機構についてさらに詳しく説明する。
【００３２】
以下では、‘撮影記録’機能における‘人物撮影’モードおよび‘自己撮影’モードを選択した場合について説明し、‘撮影記録’機能において選択可能なその他のモードについては人物撮影’モードについての説明と同じ説明となるので省略し、‘画像データ再生’機能についての説明は、本発明と無関係であるので省略する。
【００３３】
図２に示されるメインスイッチ２４を投入してから、機能選択レバー２５を‘撮影記録’の方（上側）に持っていき、撮影モードダイヤル２２を操作して‘人物撮影’モードを選択すると、切替機構２００の移動体２０１は図５（ａ）に示されるホームポジションに現在位置していることから反射ミラー１１２も撮影画角確認位置に配置されており、被写体光は接眼レンズ群に導かれる。これにより、ファインダ接眼窓２３ｂからは、撮影画角内の被写体を確認することができる。ここで、レリーズボタンを押下すると、モーター２０２が回転し、切替機構２００の移動体２０１が図５（ｂ）に示される位置まで上昇させられ、反射ミラー１１２は撮影位置に配置されると、被写体光は、カメラ下方の撮影レンズ群１１５に導かれる。これにより、ＣＣＤ撮像素子上では被写体光が結像されて写真撮影が行われる。その後、切替機構２００は、移動体２０１を再び図５（ａ）に示されるホームポジションに移動させる。
【００３４】
次に、図２に示されるメインスイッチ２４を投入してから、機能選択レバー２５を‘撮影記録’の方（上側）に持っていき、撮影モードダイヤル２２を操作して‘自己撮影’モードを選択すると、切替機構２００の移動体２０１は図５（ａ）に示されるホームポジションから図５（ｃ）に示されるに位置に上昇し、反射ミラーは自己撮影画角確認位置に配置され、被写体光は被写体側に戻される。これにより、自己撮影者は、前方レンズ群１１１を透して反射ミラー１１２上に自分自身を映し出すことが可能となり、自己撮影時の目安とすることができる。その後、レリーズボタン１４を押下すると、モータ２０２が回転し、切替機構２００の移動体２０１が図５（ｃ）に示される位置から図５（ｂ）に示される撮影位置まで下降させられ、反射ミラー１１２は、被写体光をカメラ下方の撮影レンズ群１１５に導く。これにより、ＣＣＤ撮像素子上では被写体光が結像されて写真撮影が行われる。その後、切替機構２００は、移動体２０１を再び図５（ａ）に示されるホームポジションに戻す。
【００３５】
図６は、‘撮影記録’機能が機能選択レバーによって選択された際に実行されるルーチンのフローチャートである。
【００３６】
ステップＳ１では、現在選択されている撮影モードが‘自己撮影’モードであるか否かが判定される。ステップＳ１において、‘自己撮影’モードが選択されていると判定されると、ステップＳ２に進み、切替機構２００の移動体２０１が自己撮影を行うための位置である自己撮影画角確認位置に到達したか否かが判定される。尚、本実施形態のカメラ１では、切替機構２００の移動体２０１のホームポジションが撮影画角確認位置となっている（図５（ａ）参照）。
【００３７】
ステップＳ２において、移動体２０１が自己撮影画角確認位置に到達していないと判定されると、ステップＳ３に進み、モータ２０２に回転指示が出され、ステップＳ１に戻る。
【００３８】
ステップＳ２において、移動体２０１が自己撮影画角確認位置に到達していると判定されると、ステップＳ４に進み、レリーズボタンが押下されたか否かが判定される。ステップＳ４において、レリーズボタンが押下されていないと判定されるとステップＳ１に戻り、ステップＳ４において、レリーズボタンが押下されたと判定されると、ステップＳ５に進む。
【００３９】
ステップＳ５では、切替機構２００の移動体２０１が撮影位置に到達しているか否かが判定され、ステップＳ５において、到達していないと判定されると、ステップＳ６に進み、モータ２０２に回転指示が出された後、ステップＳ１に戻る。ステップＳ５において、撮影位置に到達していると判定されると、ステップＳ１０に進み、ＣＣＤ撮像素子１１６に対する露光が終了したか否か判定される。
【００４０】
ステップＳ１０において、撮影が終了していないと判定されるとステップＳ１０を繰り返し、撮影が終了したと判定されるとステップＳ１１に進む。
【００４１】
ステップＳ１１では、移動体２０１をホームポジションに戻すために、モータに回転指示が出される。その後、ステップＳ１２に進み、移動体がホームポジションに到達したか否かが判定され、ステップＳ１２において、到達していないと判定されると、ステップＳ１１に戻り、ステップＳ１２において、到達していると判定されると、このルーチンを終了する。
【００４２】
一方、ステップＳ１において、現在選択されているモードが‘自己撮影’モードではないと判定されると、ステップＳ７に進み、レリーズボタンが押下されているか否かが判定される。
【００４３】
ステップＳ７において、レリーズボタンが押下されていないと判定されると、ステップＳ１に戻り、ステップＳ７において、レリーズボタンが押下されていると判定されるとステップＳ８に進む。
【００４４】
ステップＳ８では、移動体２０１が撮影位置に到達しているか否かが判定され、ステップＳ８において、到達していないと判定されるとステップＳ９に進み、モータ２０２に回転指示が出される。その後ステップＳ１に戻る。
【００４５】
ステップＳ８において、到達していると判定されると、ステップＳ１０に進む。尚、これ以降の説明については、前述の通りであるので省略する。
【００４６】
本実施形態のカメラ１では、写真撮影時には反射部材が撮影画角確認位置、撮影位置、および自己撮影画角確認位置のこれら３つの位置のうちの撮影位置に配置されることで被写体光は後方レンズ群に導かれ、撮影画角の確認時には反射ミラーが３つの位置のうちの撮影画角確認位置に配置されることで被写体光は接眼レンズ群に導かれ、自己撮影時の画角確認時には反射ミラーが３つの位置のうちの自己撮影確認位置に配置されることで被写体光は被写体側に戻される。これにより、本実施形態のカメラ１では、前方レンズ群と、前方レンズ群とは異なる方向の光軸を有する後方レンズ群とによって写真撮影が行われることで、前方レンズ群の光軸方向へのコンパクト化が図られていると共に、既存の前方レンズ群を利用したファインダが設けられている。さらには、自己撮影の際の画角確認用にこの反射ミラーを使用することが可能となっている。したがって、本実施形態のカメラ１によれば、前方レンズ群の光軸方向へのコンパクト化を図ることができると共に、カメラ外寸の大型化を抑制しながら自己撮影機能を付加することができる。
【００４７】
尚、本実施形態では、デジタルカメラを例に挙げて説明しているが、本発明が、ロール状の写真フィルムあるいはインスタント写真フィルムに撮影を行うタイプのカメラにおいてなされてるものであってもよく、また、被写体光の屈曲がカメラの下方ではなくカメラの左方向あるいは右方向にされるものであってもよい。また、本実施形態では、前方レンズ群を利用してファインダ光学系を形成するした場合を例に挙げて説明しているが、ファインダ光学系が前方レンズ群を利用せずに形成されるものであっても、本発明の目的の達成に影響ない。
【００４８】
【発明の効果】
以上説明したように、本発明のカメラによれば、前方レンズ群の光軸方向へのコンパクト化を図ると共に、自己撮影機能の付加によるカメラ外寸の大型化を抑制することができる。
【図面の簡単な説明】
【図１】本実施形態の、斜め前方からの外観斜視図である。
【図２】本実施形態のカメラの、斜め後方からの外観斜視図である。
【図３】本実施形態のカメラの左側面からの透視図である。
【図４】図３に示される反射ミラーの位置の切り替えを行う切替機構の、左後方からの外観斜視図である。
【図５】図４に示される切替機構を左側から見た場合の図である。
【図６】‘撮影記録’機能が機能選択レバーによって選択された際に実行されるルーチンのフローチャートである。
【符号の説明】
１　カメラ
１１　前面レンズ
１２　フラッシュ調光窓
１３　フラッシュ発光窓
１４　レリーズボタン
１５　ＵＳＢ端子
１６　外部電源端子
１８　液晶パネル
１９　液晶パネル起動ボタン
２０　十字キー
２１　メニュー／ＯＫスイッチ
２２　撮影モードダイヤル
２３ｂ　ファインダ接眼窓
２４　メインスイッチ
２５　機能選択レバー
１１１　前方レンズ群
１１２　反射ミラー
１１４　接眼レンズ群
１１５　撮影レンズ群
１１６　ＣＣＤ撮像素子
２００　切替機構
２０１　移動体
２０１ａ　貫通孔
２０２　モータ
２０３　リードスクリュ
２０４　ホルダ
２０５　軸
２０６　板ばね
【図１】
2004004327.tif 000003
【図２】
2004004327.tif 000004
【図３】
2004004327.tif 000005
【図４】
2004004327.tif 000006
【図５】
2004004327.tif 000007
【図６】
2004004327.tif 000008